(57)【要約】【課題】  液晶表示装置及び液晶表示装置の駆動方法を提供する。【解決手段】  ２次元的に配列されたデータライン及びゲートラインを有する複数のパネル領域に分割された液晶パネルと、複数のパネル領域に対応する数で構成されてそれぞれ独立的に駆動され、対応するパネル領域にゲート信号を交互に供給する複数のゲートドライバーと、データラインにデータ信号を供給するデータドライバーと、液晶パネルに光を照射するバックライトユニットと、を備えることを特徴とする液晶表示装置である。これにより、ゲート信号の伝送方式を改造する簡単な方式で色混合現象を防止して画質を向上する。【選択図】      図５
2007140531.tif 000002
【特許請求の範囲】
【請求項１】
２次元的に配列されたデータライン及びゲートラインを有する複数のパネル領域に分割された液晶パネルと、
前記複数のパネル領域に対応する数で構成されてそれぞれ独立的に駆動され、対応するパネル領域にゲート信号を交互に供給する複数のゲートドライバーと、
前記データラインにデータ信号を供給するデータドライバーと、
前記液晶パネルに光を照射するバックライトユニットとを備えることを特徴とする液晶表示装置。
【請求項２】
前記複数のパネル領域は、液晶パネルの中心水平ラインに対して対称的に分割されることを特徴とする請求項１に記載の液晶表示装置。
【請求項３】
前記複数のゲートドライバーは、それぞれシフトレジスト方式を採用することを特徴とする請求項１に記載の液晶表示装置。
【請求項４】
前記複数のパネル領域は、液晶パネルのデータラインに沿って垂直方向に分割された第１領域及び第２領域を備え、前記複数のゲートドライバーは、第１ゲートドライバー及び第２ゲートドライバーを備えることを特徴とする請求項１に記載の液晶表示装置。
【請求項５】
前記第１ゲートドライバーは、第１領域の下部ラインから上部ラインにゲート信号を供給し、第２ゲートドライバーは、第２領域の上部ラインから下部ラインにゲート信号を供給することを特徴とする請求項４に記載の液晶表示装置。
【請求項６】
前記第１ゲートドライバーは、第１領域の上部ラインから下部ラインにゲート信号を供給し、第２ゲートドライバーは、第２領域の下部ラインから上部ラインにゲート信号を供給することを特徴とする請求項４に記載の液晶表示装置。
【請求項７】
前記バックライトユニットを駆動するためのインバータと、
水平同期信号を利用して前記データドライバーを制御し、垂直同期信号を利用して前記ゲートドライバーを制御し、インバータを制御するためのタイミングコントローラとを備えることを特徴とする請求項１に記載の液晶表示装置。
【請求項８】
前記バックライトユニットは、前記タイミングコントローラからの垂直同期信号によって駆動されることを特徴とする請求項７に記載の液晶表示装置。
【請求項９】
前記バックライトユニットは、異なる色ビームを照射する複数の色光源を含み、前記液晶パネルとバックライトユニットとは、各色別に順次駆動されることを特徴とする請求項１に記載の液晶表示装置。
【請求項１０】
２次元的に配列されたデータライン及びゲートラインを有する複数のパネル領域に分割された液晶パネルと、
前記複数のパネル領域にゲート信号を交互に供給する一つのゲートドライバーと、
前記データラインにデータ信号を供給するデータドライバーと、
前記液晶パネルに光を照射するバックライトユニットとを備えることを特徴とする液晶表示装置。
【請求項１１】
前記複数のパネル領域は、液晶パネルのデータラインに沿って垂直方向に分割された第１領域及び第２領域を備えることを特徴とする請求項１０に記載の液晶表示装置。
【請求項１２】
前記ゲートドライバーは、デコーディング方式を採用することを特徴とする請求項１０に記載の液晶表示装置。
【請求項１３】
前記ゲートドライバーは、第１領域の下部ラインから上部ラインにゲート信号を供給することと、第２領域の上部ラインから下部ラインにゲート信号を供給することを交互に実行することを特徴とする請求項１１に記載の液晶表示装置。
【請求項１４】
前記ゲートドライバーは、第１領域の上部ラインから下部ラインにゲート信号を供給することと、第２領域の下部ラインから上部ラインにゲート信号を供給することを交互に実行することを特徴とする請求項１１に記載の液晶表示装置。
【請求項１５】
データライン及びゲートラインを有する液晶パネルを複数のパネル領域に分割するステップと、
前記複数のパネル領域を交互に駆動するステップと、
各パネル領域のスキャンが完了したラインに対応するバックライトユニットの光源から光を照射するステップと、を含むことを特徴とする液晶表示装置の駆動方法。
【請求項１６】
前記複数のパネル領域を駆動するステップは、
データドライバーを利用して前記データラインにデータ信号を供給するステップと、
前記複数のパネル領域に対して一つのゲートドライバーを利用して各パネル領域のゲートラインにスキャン信号を交互に供給するステップと、
水平同期信号を利用して前記データドライバーを制御し、垂直同期信号を利用して前記ゲートドライバーを制御するステップとを含むことを特徴とする請求項１５に記載の液晶表示装置の駆動方法。
【請求項１７】
前記複数のパネル領域は、液晶パネルのデータラインに沿って垂直方向に分割された第１領域及び第２領域を備え、前記複数のゲートドライバーは、第１ゲートドライバー及び第２ゲートドライバーを備え、
前記第１ゲートドライバーは、第１領域の下部ラインから上部ラインにゲート信号を供給するステップと、
前記第２ゲートドライバーは、第２領域の上部ラインから下部ラインにゲート信号を供給するステップとを含むことを特徴とする請求項１６に記載の液晶表示装置の駆動方法。
【請求項１８】
前記複数のパネル領域は、液晶パネルのデータラインに沿って垂直方向に分割された第１領域及び第２領域を備え、前記複数のゲートドライバーは、第１ゲートドライバー及び第２ゲートドライバーを備え、
前記第１ゲートドライバーは、第１領域の上部ラインから下部ラインにゲート信号を供給するステップと、第２ゲートドライバーは、第２領域の下部ラインから上部ラインにゲート信号を供給するステップとを含むことを特徴とする請求項１６に記載の液晶表示装置の駆動方法。
【請求項１９】
前記複数のパネル領域を駆動するステップは、
データドライバーを利用して前記データラインにデータ信号を供給するステップと、
前記複数のパネル領域に対してそれぞれ備えられたゲートドライバーを利用して、各パネル領域のゲートラインにスキャン信号を交互に供給するステップと、
水平同期信号を利用して前記データドライバーを制御し、垂直同期信号を利用して前記ゲートドライバーを制御するステップとを含むことを特徴とする請求項１５に記載の液晶表示装置の駆動方法。
【請求項２０】
前記液晶パネルをデータラインに沿って垂直方向に第１領域と第２領域とに分割するステップと、
前記ゲートドライバーは、第１領域の下部ラインから上部ラインにゲート信号を供給することと、第２領域の上部ラインから下部ラインにゲート信号を供給することとを交互に実行するステップとを含むことを特徴とする請求項１９に記載の液晶表示装置の駆動方法。
【発明の詳細な説明】
【技術分野】
【０００１】
本発明は、色混合現象を減少させた液晶表示装置及び液晶表示装置の駆動方法に関する。
【背景技術】
【０００２】
液晶表示装置（Ｌｉｑｕｉｄ  Ｃｒｙｓｔａｌ  Ｄｉｓｐｌａｙ：ＬＣＤ）は、入力された画像信号によって液晶パネルの各画素単位で電圧が供給されて画素の透光率が調節されることによって画像を表示するものであって、ノート型パソコン、デスクトップコンピュータ、ＬＣＤ−ＴＶ、移動通信端末機に使われる。ＬＣＤは、それ自体が発光して画像を形成できず、外部から光を供給されて画像を形成する受光素子型表示装置であって、液晶パネル以外に光を照射するバックライトユニットが必要であり、また液晶パネルを駆動するための駆動ユニットが必要である。
【０００３】
図１を参照するに、従来のＬＣＤは、画像が表示される液晶パネル１０と、液晶パネル１０に光を供給するバックライトユニット３５と、液晶パネルを駆動するための駆動ユニットと、を備える。液晶パネル１０は、ｍ×ｎ個の液晶画素がマトリックスタイプに配列され、ｍ個のデータライン（Ｄ１ないしＤｍ）とｎ個のゲートライン（Ｇ１ないしＧｎ）とが交差され、データラインとゲートラインの交差部に薄膜トランジスタ（ＴＦＴ：Ｔｈｉｎ  Ｆｉｌｍ  Ｔｒａｎｓｉｓｔｏｒ）が形成されて構成される。そして、駆動ユニットは、前記データラインにデータ信号を供給するためのデータドライバー１５と、ゲートラインにスキャン信号を供給するためのゲートドライバー２０と、同期信号を利用してデータドライバー１５とゲートドライバー２０とを制御するためのタイミングコントローラ２５と、バックライトユニット３５を駆動するためのインバータ３０と、を備える。
【０００４】
液晶画素にそれぞれ形成されたＴＦＴは、ゲートラインから供給されるスキャン信号に応答して、データラインから供給されるデータ信号によってスイッチング動作する。
【０００５】
タイミングコントローラ２５は、垂直／水平同期信号を利用してゲートドライバー２０及びデータドライバー１５を制御するための制御信号を生成する。データドライバー１５は、タイミングコントローラからの制御信号に応答してデジタル画像信号をアナログデータ信号に変換し、このアナログデータ信号をデータラインに供給する。ゲートドライバー２０は、タイミングコントローラからの制御信号に応答してスキャンパルスをゲートラインに順次に供給して、データ信号が供給される液晶パネルの水平ラインを選択する。前記インバータ３０は、バックライト３５を駆動するための駆動電圧をバックライト３５に供給し、バックライト３５は、駆動電圧に対応するビームを生成して液晶パネル１０に供給する。
【０００６】
ＬＣＤは、ＴＦＴをスイッチング素子として利用したＴＦＴ−ＬＣＤが主に利用され、カラー具現方式としては、カラー画像を具現するために各画素が、例えば、赤色（Ｒ）、緑色（Ｇ）、青色（Ｂ）のうち何れか一つを表示する空間分割方式と、全ての画素が経時的にＲ、Ｇ、Ｂ色を表示する時間分割方式とがある。このうち、時間分割方式の場合には、Ｒ、Ｇ、Ｂの光源をそれぞれ備え、各光源を順次に点灯する。言い換えれば、ゲートドライバー及びデータドライバーの動作によって全ての画素を走査した後に赤色光源を点灯し、次いで、赤色光源を消灯し、再び全ての画素を走査した後に緑色光源を点灯し、最後に緑色光源を消灯し、再び全ての画素を走査した後に青色光源を点灯する。一方、空間分割方式は、Ｒ、Ｇ、Ｂのカラーフィルタを画素電極に対応する各領域に装着してカラーを表示する。したがって、同じフレーム周波数で動作するとき、時間分割方式は、空間分割方式に比べて各カラー光源の点灯時間が短い。
【０００７】
一方、ＬＣＤが動画を表示するためには、液晶の応答速度及び動作速度が動画のフレーム数と同一かまたは速くなければならない。また、さらに精密な高解像度の動画を具現するためには、フレーム周波数を増加させねばならない。液晶の応答速度及び動作速度が遅い場合、液晶パネルで液晶が十分に配列される時間が足りなくて、画面が歪むか、または広がる現象が発生する。しかし、液晶の応答速度及び動作速度の向上には限界があって、フレーム周波数を増加させるのに困難がある。
【０００８】
図２は、データドライバーからデータが供給され、このデータによって液晶が配列される過程を時間に対する液晶パネルのラインとして表し、液晶が配列された後に対応する色ビームが供給されることを時間軸に対して比較して示した図である。
【０００９】
データ信号によって液晶がオンとなるのにかかる時間を立ち上がり時間τといい、立ち上がり区間をＳといい、液晶がオン状態を維持する区間をＵといい、液晶が何れもオフとなるのにかかる時間を立ち下がり時間といい、立ち下がり区間をＴという。バックライトユニットは、液晶がオン状態を維持するＵ区間の間に光を供給する。このような過程が、例えば、Ｒ、Ｇ、Ｂに対して順次に反復される。
【００１０】
図３は、第１ゲートラインＧ１から第ｎゲートラインＧｎまでシンク信号Ｖｓｙｎｃによって順次にスキャンパルスが供給されることを示す。スキャンパルスが供給されてスキャンが完了すれば、各ゲートラインに対応するバックライトがオンとなって液晶パネルに光を供給する。
【００１１】
図４は、例えば、バックライトが８個のラインブロックで構成された液晶パネルでの赤色ビーム（Ｒ）、緑色ビーム（Ｇ）、及び青色ビーム（Ｂ）に対するデータ記録時間とバックライト駆動時間とを対応させて示した図である。赤色データ信号が液晶パネルの第１ラインから最後のラインまで順次に供給され、データ信号によって各ゲートライン別にスキャンが進められる。赤色データ信号及びスキャンに対応して、ｔ＝ｔ３でバックライトの第１ラインブロックから赤色ビームが照射され、ｔ＝ｔ４でバックライトの第２ラインブロックから赤色ビームが照射され、このような方式で第８ラインブロックまで赤色ビームが順次に照射される。次いで、緑色データ信号が供給され、緑色ビームが各ラインに沿って順次に照射される。次いで、青色データ信号が供給され、青色ビームが各ラインに沿って順次に照射される。このように進められる間に、例えば、（ｔ３−ｔ４）時間を見れば、青色ビームと赤色ビームとが同時に液晶パネルに照射されている。また、（ｔ４−ｔ５）、（ｔ５−ｔ６）、（ｔ６−ｔ７）時間にも青色ビームと赤色ビームとが同時に液晶パネルに照射されている。他の時間帯には、赤色ビームと緑色ビームとが同時に液晶パネルに照射されているか、または緑色ビームと青色ビームとが同時に液晶パネルに照射されている場合もある。
【００１２】
このように、一つの画面で部分的にパネルが表示するデータの色と異なる部分で、点灯される光源の色が異なる場合が存在し、理想的には、相互干渉があってはならないが、均一度のために光が全方向に発散するので、隣接する色ビームが他の色に対する液晶に影響を与えて色混合現象が発生し、それにより、色特性が低下する。
【特許文献１】日本特許公開第２０００−２７５６０５号公報
【特許文献２】日本特許公開第平５−０８０７１６号公報
【発明の開示】
【発明が解決しようとする課題】
【００１３】
本発明は、前記問題点を解決するために創案されたものであって、複数に分割されたパネル領域にデータ信号を交互に供給して色混合現象を防止したＬＣＤ、及びＬＣＤの駆動方法を提供することを目的とする。
【課題を解決するための手段】
【００１４】
前記目的を達成するために、本発明によるＬＣＤは、２次元的に配列されたデータラインとゲートラインとを有する複数のパネル領域に分割された液晶パネルと、前記複数のパネル領域に対応する数で構成されてそれぞれ独立的に駆動され、対応するパネル領域にゲート信号を交互に供給する複数のゲートドライバーと、前記データラインにデータ信号を供給するデータドライバーと、前記液晶パネルに光を照射するバックライトユニットとを備えることを特徴とする。
【００１５】
前記複数のパネル領域は、液晶パネルの中心水平ラインに対して対称的に分割される。
【００１６】
前記複数のゲートドライバーは、それぞれシフトレジスト方式を採用する。
【００１７】
前記複数のパネル領域は、液晶パネルのデータラインに沿って垂直方向に分割された第１領域及び第２領域を備え、前記複数のゲートドライバーは、第１ゲートドライバー及び第２ゲートドライバーを備えうる。
【００１８】
前記第１ゲートドライバーは、第１領域の下部ラインから上部ラインにゲート信号を供給し、第２ゲートドライバーは、第２領域の上部ラインから下部ラインにゲート信号を供給する。
【００１９】
前記第１ゲートドライバーは、第１領域の上部ラインから下部ラインにゲート信号を供給し、第２ゲートドライバーは、第２領域の下部ラインから上部ラインにゲート信号を供給する。
【００２０】
本発明によるＬＣＤは、前記バックライトユニットを駆動するためのインバータと、垂直同期信号を利用して前記データドライバーを制御し、水平同期信号を利用して前記ゲートドライバーを制御し、インバータを制御するためのタイミングコントローラとを備える。
【００２１】
前記目的を達成するために本発明によるＬＣＤは、２次元的に配列されたデータライン及びゲートラインを有する複数のパネル領域に分割された液晶パネルと、前記複数のパネル領域にゲート信号を交互に供給する一つのゲートドライバーと、前記データラインにデータ信号を供給するデータドライバーと、前記液晶パネルに光を照射するバックライトユニットとを備えることを特徴とする。
【００２２】
前記ゲートドライバーは、デコーディング方式を採用することを特徴とする。
【００２３】
前記目的を達成するために、本発明によるＬＣＤの駆動方法は、データライン及びゲートラインを有する液晶パネルを複数のパネル領域に分割するステップと、前記複数のパネル領域を交互に駆動するステップと、各パネル領域のスキャンが完了したラインに対応するバックライトユニットの光源から光を照射するステップとを含むことを特徴とする。
【００２４】
前記複数のパネル領域を駆動するステップは、データドライバーを利用して前記データラインにデータ信号を供給するステップと、前記複数のパネル領域に対して一つのゲートドライバーを利用して各パネル領域のゲートラインにスキャン信号を交互に供給するステップと、垂直同期信号を利用して前記データドライバーを制御し、水平同期信号を利用して前記ゲートドライバーを制御するステップとを含む。
【００２５】
前記複数のパネル領域は、液晶パネルのデータラインに沿って垂直方向に分割された第１領域及び第２領域を備え、前記複数のゲートドライバーは、第１ゲートドライバー及び第２ゲートドライバーを備え、前記第１ゲートドライバーは、第１領域の下部ラインから上部ラインにゲート信号を供給するステップと、前記第２ゲートドライバーは、第２領域の上部ラインから下部ラインにゲート信号を供給するステップとを含む。
【００２６】
前記複数のパネル領域は、液晶パネルのデータラインに沿って垂直方向に分割された第１領域及び第２領域を備え、前記複数のゲートドライバーは、第１ゲートドライバー及び第２ゲートドライバーを備え、前記第１ゲートドライバーは、第１領域の上部ラインから下部ラインにゲート信号を供給するステップと、第２ゲートドライバーは、第２領域の下部ラインから上部ラインにゲート信号を供給するステップと、を含む。
【００２７】
前記複数のパネル領域を駆動するステップは、データドライバーを利用して前記データラインにデータ信号を供給するステップと、前記複数のパネル領域に対してそれぞれ備えられたゲートドライバーを利用して各パネル領域のゲートラインにスキャン信号を交互に供給するステップと、垂直同期信号を利用して前記ゲートドライバーを制御し、水平同期信号を利用して前記データドライバーを制御するステップと、を含む。
【００２８】
前記液晶パネルをデータラインに沿って垂直方向に第１領域と第２領域とに分割するステップと、前記ゲートドライバーは、第１領域の下部ラインから上部ラインにゲート信号を供給するステップと、第２領域の上部ラインから下部ラインにゲート信号を供給するステップとを交互に実行する。
【発明の効果】
【００２９】
本発明によるＬＣＤは、ゲート信号の伝送方式を改造する簡単な方式で色混合現象を防止して画質を向上させる。特に、既存の液晶パネルの構造を変更せずに液晶パネルを分割駆動することによって、コストの上昇なしに色混合現象を防止しうる。
【００３０】
また、本発明によるＬＣＤの駆動方法は、複数に分割された液晶パネルにゲート信号を交互に伝送することによって、画面に書き込まれるデータと異なる色を表現する他の領域のバックライトが点灯されている時間を短縮させることによって画面の色混合現象を最小化する。
【発明を実施するための最良の形態】
【００３１】
以下、添付された図面を参照して本発明をさらに詳細に説明する。
【００３２】
本発明の第１実施形態によるＬＣＤは、図５を参照するに、それぞれ独立的に駆動される複数のパネル領域に分割された液晶パネル１００と、前記複数のパネル領域に対応するように分割されて光を供給するバックライトユニット１１０とを備える。
【００３３】
バックライトユニット１１０は、それぞれのパネル領域に対向して分割されたバックライト領域を備え、直下発光型バックライトまたはエッジ発光型バックライトで構成されうる。また、液晶パネル１００にデータ信号を供給するためのデータドライバー１２１と、前記複数のパネル領域に対応してスキャン信号を供給するためのゲートドライバーとが備えられる。
【００３４】
例えば、液晶パネル１００は、第１パネル領域１０１と第２パネル領域１０２とを備えて構成され、バックライトユニット１１０は、第１パネル領域１０１に対向して位置した第１バックライト領域１１１と、第２パネル領域１０２に対向して位置した第２バックライト領域１１２とに分割されて構成される。
【００３５】
第１パネル領域１０１は、ｍ×ｎ個の液晶画素がマトリックス型に配列され、ｍ個のデータラインＤ１１ないしＤ１ｍとｎ個のゲートラインＧ１１ないしＧ１ｎとが交差され、データラインとゲートラインとの交差部にＴＦＴが形成されて構成される。第２パネル領域１０２は、ｍ×ｎ個の液晶画素がマトリックス型に配列され、ｍ個のデータラインＤ２１ないしＤ２ｍとｎ個のゲートラインＧ２１ないしＧ２ｎとが交差され、データラインとゲートラインとの交差部にＴＦＴが形成されて構成される。
【００３６】
液晶パネル１００は、データラインに沿って垂直方向に複数のパネル領域に分割され、図５では、二つのパネル領域に分割された例を示す図である。バックライトユニット１１０は、液晶パネル１００が分割された数に対応し、各パネル領域に対向するように分割されて、それぞれに対応するパネル領域に光を照射する。バックライトユニット１１０は、タイミングコントローラ１４０からの垂直同期信号によって駆動される。そして、バックライトユニット１１０は、異なる色ビームを照射する複数の色光源を含み、前記液晶パネル及びバックライトユニットは、各色別に順次駆動される。
【００３７】
また、第１パネル領域１０１及び第２パネル領域１０２のデータラインにデータ信号を供給するためのデータドライバー１２１と、第１パネル領域１０１のゲートラインにスキャン信号を供給するための第１ゲートドライバー１３１と、第２パネル領域１０２のゲートラインにスキャン信号を供給するための第２ゲートドライバー１３２とが備えられる。
【００３８】
データドライバー１２１と第１及び第２ゲートドライバー１３１,１３２とは、タイミングコントローラ１４０によって制御される。タイミングコントローラ１４０は、垂直同期信号を利用して第１及び第２ゲートドライバー１３１,１３２を制御し、水平同期信号を利用してデータドライバー１２１を制御する。そして、バックライトユニット１１０は、インバータ１４５によって駆動され、インバータ１４５は、タイミングコントローラ１４０によって制御される。本発明では、複数のパネル領域にゲート信号が交互に供給されることを特徴とする。タイミングコントローラ１４０は、第１及び第２ゲートドライバー１３１,１３２を交互に駆動して、第１パネル領域１０１のゲートラインにゲート信号を供給し、第２パネル領域１０２のゲートラインにゲート信号を供給することを交互に実行する。具体的に、第１パネル領域１０１の第１ゲートラインＧ１１にゲート信号が供給され、次いで、第２パネル領域１０２の第１ゲートラインＧ２１にゲート信号が供給され、さらに第１パネル領域１０１の第２ゲートラインＧ１２にゲート信号が供給され、次いで、第２パネル領域１０２の第２ゲートラインＧ２２にゲート信号が供給される。このように、第１パネル領域と第２パネル領域とに交互にゲート信号が供給される。
【００３９】
第１及び第２ゲートドライバー１３１,１３２は、シフトレジスト方式でそれぞれの対応するパネル領域にゲート信号を供給する。シフトレジスト方式は、ゲートラインの順序に沿って順次にゲート信号を伝送する方式を表す。データドライバー１２１は、第１及び第２パネル領域１０１,１１１の双方にデータ信号を供給する。
【００４０】
第１及び第２パネル領域１０１,１０２にゲート信号が供給されるとき、パネル領域の水平方向の中心ラインに対して対称的な方向に沿ってゲート信号が交互に供給されることが望ましい。例えば、図６に示したように、第１パネル領域１０１の下部ゲートラインから上部ゲートラインにゲート信号が供給され、第２パネル領域１０２の上部ゲートラインから下部ゲートラインにゲート信号が供給されうる。または、第１パネル領域１０１の上部ゲートラインから下部ゲートラインにゲート信号が供給され、第２パネル領域１０２の下部ゲートラインから上部ゲートラインにゲート信号が供給されうる。
【００４１】
具体的に、図７に示したように、液晶パネルが第１パネル領域１０１と第２パネル領域１０２とに分割され、液晶パネルのゲートラインが８個のラインで構成され、バックライトユニットもゲートラインに対応する光源ラインで構成されると仮定し、各ライン別のデータ信号及びゲート信号の伝送時間、及び各色ビームの供給時間について説明する。図８を参照するに、赤色ビーム（Ｒ）に対するデータ信号及びゲート信号が供給され、スキャンが完了したラインに対応するバックライトユニットの光源ラインから光が照射される。ここで、第１パネル領域１０１及び第２パネル領域１０２に対してスキャンが交互になされるので、バックライト光源からの照射が液晶パネルの中心ラインに対して交互になされる。このようにして、同じ時間帯に一色以外に他の色のビームを照射させないことによって、色混合現象が防止される。具体的に、（ｔ１−ｔ２）,（ｔ２−ｔ３）区間では、青色ビームのみが照射されており、（ｔ３−ｔ４）．．．（ｔ７−ｔ８）区間では、赤色ビームのみが照射されている。図８で、第１パネル領域１０１及び第２パネル領域１０２に対する液晶反応開始点とビームの照射開始点とがそれぞれ異なって表示されねばならないが、その時間差が非常に小さいため、図面には同じ時点と表示する。
【００４２】
本発明の第２実施形態によるＬＣＤは、図９に示したように、デコーディング方式のゲートドライバー１３５を備えて第１パネル領域１０１と第２パネル領域１０２とに交互にゲート信号を供給する。図５と比較するとき、ゲートドライバーを除外した残りの構成は実質的に同じであるので、ここでは、その詳細な説明を省略し、同じ参照番号の部材は、同じ機能及び作用を行う。
ゲートドライバー１３５は、デコーディング方式を採用して第１パネル領域１０１と第２パネル領域１０２とに交互にデータ信号を供給する。デコーディング方式は、ゲートドライバーで信号伝送ラインを選択してデータ信号を供給する方式である。各パネル領域のデータラインにデータ信号を交互に供給することによって、図８に示したように、液晶パネルに異なる色ビームを照射させないことによって色混合現象を防止しうる。
【００４３】
次いで、本発明によるＬＣＤの駆動方法について説明し、図５及び図９に示されたＬＣＤを参照して説明する。
【００４４】
本発明の望ましい実施形態によるＬＣＤの駆動方法は、図１０を参照するに、データライン及びゲートラインを有する液晶パネル１００をデータラインに沿って垂直方向に複数のパネル領域に分割する（Ｓ１０）。複数のパネル領域は、実質的に同じ面積と同じ形状とを有することが望ましい。そして、タイミングコントローラで水平同期信号を利用してデータドライバー１２１を制御し、垂直同期信号を利用してゲートドライバー１３１，１３２，１３５を制御し、インバータ１４５を制御してバックライトユニット１１０から液晶パネル１００に光を照射する。タイミングコントローラは、複数のパネル領域を交互に駆動する（Ｓ２０）。ゲートドライバーをパネル領域の数以上に備え、ゲートドライバーを交互に制御して、各パネル領域に交互にゲート信号を供給する。このとき、ゲートドライバーは、シフトレジスト方式を採用する。または、デコーディング方式を採用するゲートドライバーを利用して、分割されたパネル領域に交互にゲート信号を伝送する。各パネル領域でゲート信号が伝送されるゲートラインの順序方向は、液晶パネルの中心水平ラインに対して対称となることが望ましい。
【００４５】
例えば、第１パネル領域の下部ラインから上部ラインにゲート信号が伝送され、第２パネル領域の上部ラインから下部ラインにゲートラインが伝送される。または、第１パネル領域の上部ラインから下部ラインにゲート信号が伝送されるとき、第２パネル領域が下部ラインから上部ラインにゲート信号が伝送される。
【００４６】
バックライトユニットを前記複数のパネル領域に対応するように複数のバックライト領域に分割し（Ｓ３０）、複数のバックライト領域別に対応するパネル領域のスキャンによって光を交互に照射する（Ｓ４０）。
【００４７】
垂直方向に分割されたパネル領域にゲート信号を交互に伝送し、これにより、バックライト光源からビームを照射して液晶パネルに他の色のビームを照射させないことによって色混合現象による画質の低下を防止しうる。
【００４８】
本発明は、図面に示した実施形態を参照して説明されたが、それは、例示的なものに過ぎず、当業者ならば、それらから多様な変形及び均等な他の実施形態が可能であるということが分かるであろう。したがって、本発明の真の技術的保護範囲は、特許請求の範囲の技術的思想によって決定されねばならない。
【産業上の利用可能性】
【００４９】
本発明は、ノート型パソコン、デスクトップコンピュータ、ＬＣＤ−ＴＶ，移動通信端末機などの液晶表示装置関連の技術分野に好適に適用可能である。
【図面の簡単な説明】
【００５０】
【図１】従来のＬＣＤを概略的に示す図である。
【図２】従来のＬＣＤの駆動を概略的に示す図である。
【図３】図１に示したＬＣＤで、水平同期信号によってゲートライン別にスキャンパルスが供給されることを示す図である。
【図４】従来のＬＣＤでデータ信号の伝送時間と液晶反応時間及び光照射時間をＬＣＤのゲートライン別に示す図である。
【図５】本発明の第１実施形態によるＬＣＤを示す図である。
【図６】本発明によるＬＣＤで水平同期信号によってゲートライン別にスキャンパルスが供給されることを示す図である。
【図７】本発明によるＬＣＤに備えられた液晶パネルが８個のゲートラインを有する例を示す図である。
【図８】本発明によるＬＣＤで、データ信号の伝送時間と液晶反応時間及び光照射時間をＬＣＤのゲートライン別に示す図である。
【図９】本発明の第２実施形態によるＬＣＤを示す図である。
【図１０】本発明によるＬＣＤの駆動方法を説明するための順序図である。
【符号の説明】
【００５１】
１００  液晶パネル
１０１  第１パネル領域
１０２  第２パネル領域
１１０  バックライトユニット
１１１  第１バックライト領域
１１２  第２バックライト領域
１２１  データドライバー
１３１  第１ゲートドライバー
１３２  第２ゲートドライバー
１３５  ゲートドライバー
１４０  タイミングコントローラ
１４５  インバータ
【図１】
2007140531.tif 000003
【図２】
2007140531.tif 000004
【図３】
2007140531.tif 000005
【図４】
2007140531.tif 000006
【図５】
2007140531.tif 000007
【図６】
2007140531.tif 000008
【図７】
2007140531.tif 000009
【図８】
2007140531.tif 000010
【図９】
2007140531.tif 000011
【図１０】
2007140531.tif 000012